(57)【要約】再生時刻を示す時刻情報を有する放送データ及び放送データ識別情報を送信する送信装置（７００）と、前記放送データ及び前記放送データ識別情報とを受信する受信装置（８００）とから構成される放送データ送受信システム（１００）であって、前記送信装置（７００）は、前記放送データと同一内容で、前記放送データと同一の再生時刻を示す時間情報を有する代替放送データ、及び、代替放送データ識別情報を、前記放送データを送信する時刻より前に１回以上送信し、前記受信装置（８００）は、識別情報特定情報により特定される代替放送データ識別情報に基づいて前記代替放送データの取得を試み、前記放送データ又は前記代替放送データの取得がされた場合に、前記再生時刻が到来すると、取得された前記放送データ又は前記代替放送データの何れか１つを再生する。
2004034616.tif 000002
【特許請求の範囲】
【請求項１】
第１及び第２受信装置によって受信可能で、再生時刻を示す時間情報を有する放送データと放送データを識別する放送データ識別情報とを少なくとも送信する送信装置と、前記放送データと放送データ識別情報とを少なくとも受信する第２受信装置とから構成される放送データ送受信システムであって、
前記送信装置はさらに、前記放送データと同一内容で、前記放送データと同一の再生時刻を示す時間情報を有する代替放送データと代替放送データを識別する代替放送データ識別情報とを、前記放送データを送信する時刻より所定時間以上前に１回以上送信し、
前記第２受信装置は、
前記代替放送データ識別情報を特定するための識別情報特定情報を記憶している記憶手段と、
前記識別情報特定情報により特定される代替放送データ識別情報に基づいて、送信された前記代替放送データの取得を試み、前記放送データ識別情報に基づいて前記放送データの取得を試みる放送データ取得手段と、
放送データ取得手段によって前記放送データ又は前記代替放送データの取得がされた場合に、前記再生時刻が到来すると、取得された前記放送データ又は前記代替放送データの何れか１つを再生する再生手段と
を有することを特徴とする放送データ送受信システム。
【請求項２】
前記放送データ取得手段は、
記録媒体と、
前記代替放送データと前記放送データのうち、最初に取得された放送データに限り前記記録媒体に記録する記録手段と
を有し、
前記再生手段は、前記再生時刻が到来すると、前記記録媒体に記録されている前記放送データ又は前記代替放送データを再生する
ことを特徴とする請求の範囲第１項記載の放送データ送受信システム。
【請求項３】
前記放送データ及び前記代替放送データは、複数の要素データから構成され、
前記放送データ取得手段は、前記放送データ又は前記代替放送データを受信する毎に、受信した前記放送データ又は前記代替放送データに複数の前記要素データが全て含まれているか否かを判定する判定手段を有し、
前記放送データ取得手段は、受信した前記放送データ又は前記代替放送データに複数の前記要素データが全て含まれている場合に限り、当該放送データを取得する
ことを特徴とする請求の範囲第２項記載の放送データ送受信システム。
【請求項４】
前記送信装置は、再生時刻の異なる複数の前記放送データを送信し、さらに複数の前記各放送データについて、当該放送データと同一内容の放送データで、同一の再生時刻を示す時間情報を有する代替放送データを、当該代替放送データと再生時刻が同一の前記放送データを送信する時刻より所定時間以上前に１回以上送信し、
前記放送データ取得手段は、前記識別情報特定情報により特定される代替放送データ特定情報に基づいて、送信された複数の前記各代替放送データの取得を試み、前記放送データ識別情報に基づいて、送信された複数の前記各放送データの取得を試み、
前記再生手段は、前記放送データ取得手段によって再生時刻が同一の前記放送データ又は代替放送データの取得がされた場合に、当該再生時刻が到来すると、当該放送データ又は代替放送データの何れか１つを再生する
ことを特徴とする請求の範囲第１項記載の放送データ送受信システム。
【請求項５】
前記放送データ取得手段は、
記録媒体と、
複数の前記各代替放送データを取得した場合に、当該代替放送データを前記記録媒体に記録し、
複数の前記各放送データを取得した場合に、当該放送データと再生時刻が同一の前記代替放送データが前記記録媒体に記録されているか否かを判定する記録判定手段と、
当該放送データと再生時刻が同一の前記代替放送データが前記記録媒体に記録されていない場合に限り、当該放送データを前記記録媒体に記録する記録制御手段と
を有し、
前記再生手段は、前記記録媒体に記録されている前記各放送データ又は前記各代替放送データの再生時刻が到来すると、当該放送データ又は代替放送データを再生する
ことを特徴とする請求の範囲第４項記載の放送データ送受信システム。
【請求項６】
複数の前記各放送データ及び代替放送データは、複数の要素データから構成され、
前記放送データ取得手段は、複数の前記各放送データ又は代替放送データを受信する毎に、当該放送データ又は代替放送データに複数の前記要素データが全て含まれているか否かを判定する判定手段を有し、
前記放送データ取得手段は、当該放送データ又は代替放送データに複数の前記要素データが全て含まれている場合に限り、当該放送データ又は代替放送データを取得する
ことを特徴とする請求の範囲第５項記載の放送データ送受信システム。
【請求項７】
第１及び第２受信装置によって受信可能で、再生時刻を示す時間情報を有する放送データと放送データを識別する放送データ識別情報を少なくとも送信する送信装置と、前記放送データと前記放送データ識別情報とを少なくとも受信する第２受信装置とから構成される放送データ送受信システムであって、
前記放送データは、動画を構成する静止画データであり、
前記送信装置はさらに、前記動画を構成し、前記放送データと時間的に連続した再生時刻を示す時間情報を有する静止画データである代替放送データと代替放送データを識別する代替放送データ識別情報とを、前記放送データを送信する時刻より所定時間以上前に１回以上送信し、
前記第２受信装置は、
前記代替放送データ識別情報を特定するための識別情報特定情報を記憶している記憶手段と、
前記識別情報特定情報により特定される代替放送データ識別情報に基づいて、送信された前記代替放送データの取得を試み、前記放送データ識別情報に基づいて前記放送データの取得を試みる放送データ取得手段と、
前記放送データの取得がされた場合に、前記放送データの再生時刻が到来すると、前記放送データを再生し、
前記代替放送データの取得がされた場合に、前記代替放送データの再生時刻が到来すると、取得された前記代替放送データを再生する再生手段と
を有することを特徴とする放送データ送受信システム。
【請求項８】
第１及び第２受信装置によって受信可能で、再生時刻を示す時間情報を有する放送データと放送データを識別する放送データ識別情報とを少なくとも送信する送信装置と、前記放送データと前記放送データ識別情報とを少なくとも受信する第２受信装置とから構成される放送データ送受信システムであって、
前記放送データは、複数の要素データから構成され、
前記送信装置は、複数の前記要素データのうちの所定の要素データから構成され、前記放送データと同一の再生時刻を示す時間情報を有する代替放送データと代替放送データを識別する代替放送データ識別情報とを、前記放送データを送信する時刻より所定時間以上前に１回以上送信し、
前記第２受信装置は、
前記代替放送データ識別情報を特定するための識別情報特定情報を記憶している記憶手段と、
前記識別情報特定情報により特定される代替放送データ識別情報に基づいて、送信された前記代替放送データの取得を試み、前記放送データ識別情報に基づいて前記放送データの取得を試みる放送データ取得手段と、
前記放送データの取得がされた場合に、前記放送データの再生時刻が到来すると、前記放送データのみを再生し、
前記放送データの取得ができず、前記代替放送データのみ取得された場合に限り、前記代替放送データの再生時刻が到来すると、取得された前記代替放送データを再生する再生手段と
を有することを特徴とする放送データ送受信システム。
【請求項９】
前記放送データは、ＭＰＥＧ（Ｍｏｖｉｎｇ  Ｐｉｃｔｕｒｅ  Ｅｘｐｅｒｔ  Ｇｒｏｕｐ）方式により符号化されたＧＯＰ（Ｇｒｏｕｐ  ｏｆ  Ｐｉｃｔｕｒｅ）を構成するデータであり、前記代替放送データは、前記ＧＯＰの要素データあるＩピクチャを構成するデータである
ことを特徴とする請求の範囲第８項記載の放送データ送受信システム。
【請求項１０】
前記放送データは、ＭＰＥＧ（Ｍｏｖｉｎｇ  Ｐｉｃｔｕｒｅ  Ｅｘｐｅｒｔ  Ｇｒｏｕｐ）方式により符号化されたＧＯＰ（Ｇｒｏｕｐ  ｏｆ  Ｐｉｃｔｕｒｅ）を構成するデータであり、前記代替放送データは、前記ＧＯＰの要素データあるＩピクチャとＰピクチャとを構成するデータである
ことを特徴とする請求の範囲第８項記載の放送データ送受信システム。
【請求項１１】
第１及び第２受信装置によって受信可能で、再生時刻を示す時間情報を有する放送データと放送データを識別する放送データ識別情報とを少なくとも受信する第２受信装置であって、
前記第２受信装置はさらに、前記放送データを送信する時刻より所定時間以上前に１回以上送信される、前記放送データと同一内容で、前記放送データと同一の再生時刻を示す時間情報を有する代替放送データと代替放送データを識別する代替放送データ識別情報とを受信し、
前記第２受信装置は、
前記代替放送データ識別情報を特定するための識別情報特定情報を記憶している記憶手段と、
前記識別情報特定情報により特定される代替放送データ識別情報に基づいて、送信された前記代替放送データの取得を試み、前記放送データ識別情報に基づいて前記放送データの取得を試みる放送データ取得手段と、
放送データ取得手段によって前記放送データ又は前記代替放送データの取得がされた場合に、前記再生時刻が到来すると、取得された前記放送データ又は前記代替放送データの何れか１つを再生する再生手段と
を有することを特徴とする第２受信装置。
【請求項１２】
前記放送データ取得手段は、
記録媒体と、
前記代替放送データと前記放送データのうち、最初に取得された放送データに限り前記記録媒体に記録する記録手段と
を有し、
前記再生手段は、前記再生時刻が到来すると、前記記録媒体に記録されている前記代替放送データ又は前記放送データを再生する
ことを特徴とする請求の範囲第１１項記載の第２受信装置。
【請求項１３】
前記放送データ及び前記代替放送データは、複数の要素データから構成され、
前記放送データ取得手段は、前記放送データ又は前記代替放送データを受信する毎に、受信した前記放送データ又は前記代替放送データに複数の前記要素データが全て含まれているか否かを判定する判定手段を有し、
前記放送データ取得手段は、受信した前記放送データ又は前記代替放送データに複数の前記要素データが全て含まれている場合に限り、当該放送データを取得する
ことを特徴とする請求の範囲第１２項記載の第２受信装置。
【請求項１４】
前記第２受信装置は、再生時刻の異なる複数の前記放送データを受信し、さらに複数の前記各放送データについて、当該放送データと同一内容で、同一の再生時刻を示す時間情報を有する代替放送データであって、当該代替放送データと再生時刻が同一の前記放送データを送信する時刻より所定時間以上前に１回以上送信される、代替放送データを受信し、
前記放送データ取得手段は、前記識別情報特定情報により特定される代替放送データ識別情報に基づいて、送信された複数の前記各代替放送データの取得を試み、前記放送データ識別情報に基づいて、送信された複数の前記各放送データの取得を試み、
前記再生手段は、前記放送データ取得手段によって再生時刻が同一の前記各放送データ又は代替放送データの取得がされた場合に、当該再生時刻が到来すると、当該放送データ又は代替放送データの何れか１つを再生する
ことを特徴とする請求の範囲第１１項記載の第２受信装置。
【請求項１５】
前記放送データ取得手段は、
記録媒体と、
複数の前記各代替放送データを取得した場合に、当該代替放送データを前記記録媒体に記録し、
複数の前記各放送データを取得した場合に、当該放送データと再生時刻が同一の前記代替放送データが前記記録媒体に記録されているか否かを判定する記録判定手段と、
当該放送データと同一の前記代替放送データが前記記録媒体に記録されていない場合に限り、当該放送データを前記記録媒体に記録する記録制御手段と
を有し、
前記再生手段は、前記記録媒体に記録されている前記各放送データ又は前記各代替放送データの再生時刻が到来すると、当該放送データ又は代替放送データを再生する
ことを特徴とする請求の範囲第１４項記載の第２受信装置。
【請求項１６】
複数の前記各放送データ及び代替放送データは、複数の要素データから構成され、
前記放送データ取得手段は、複数の前記各放送データ又は代替放送データを受信する毎に、当該放送データ又は代替放送データに複数の前記要素データが全て含まれているか否かを判定する判定手段を有し、
前記放送データ取得手段は、当該放送データ又は代替放送データに複数の前記要素データが全て含まれている場合に限り、当該放送データ又は代替放送データを取得する
ことを特徴とする請求の範囲第１５項記載の第２受信装置。
【請求項１７】
第１及び第２受信装置によって受信可能で、再生時刻を示す時間情報を有する放送データと放送データを識別する放送データ識別情報とを少なくとも受信する第２受信装置であって、
前記放送データは、動画を構成する静止画データであり、
前記第２受信装置はさらに、前記放送データを送信する時刻より所定時間以上前に１回以上送信される、前記動画を構成し、前記放送データと時間的に連続した再生時刻を示す時間情報を有する静止画データである代替放送データと代替放送データを識別する代替放送データ識別情報とを受信し、
前記第２受信装置は、
前記代替放送データ識別情報を特定するための識別情報特定情報を記憶している記憶手段と、
前記識別情報特定情報により特定される代替放送データ識別情報に基づいて、送信された前記代替放送データの取得を試み、前記放送データ識別情報に基づいて前記放送データの取得を試みる放送データ取得手段と、
前記放送データの取得がされた場合に、前記放送データの再生時刻が到来すると、前記放送データを再生し、
前記代替放送データの取得がされた場合に、前記代替放送データの再生時刻が到来すると、取得された前記代替放送データを再生する再生手段と
を有することを特徴とする第２受信装置。
【請求項１８】
第１及び第２受信装置によって受信可能で、再生時刻を示す時間情報を有する放送データと放送データを識別する放送データ識別情報とを少なくとも受信する第２受信装置であって、
前記放送データは、複数の要素データから構成され、
前記第２受信装置はさらに、前記放送データを送信する時刻より所定時間以上前に１回以上送信される、複数の前記要素データのうちの所定の要素データから構成され、前記放送データと同一の再生時刻を示す時間情報を有する代替放送データと代替放送データを識別する代替放送データ識別情報とを受信し、
前記第２受信装置は、
前記代替放送データ識別情報を特定するための識別情報特定情報を記憶している記憶手段と、
前記識別情報特定情報により特定される代替放送データ識別情報に基づいて、送信された前記代替放送データの取得を試み、前記放送データ識別情報に基づいて前記放送データの取得を試みる放送データ取得手段と、
前記放送データの取得がされた場合に、前記放送データの再生時刻が到来すると、前記放送データのみを再生し、
前記放送データの取得ができず、前記代替放送データのみ取得された場合に限り、前記代替放送データの再生時刻が到来すると、取得された前記代替放送データを再生する再生手段と
を有することを特徴とする第２受信装置。
【請求項１９】
前記放送データは、ＭＰＥＧ（Ｍｏｖｉｎｇ  Ｐｉｃｔｕｒｅ  Ｅｘｐｅｒｔ  Ｇｒｏｕｐ）方式により符号化されたＧＯＰ（Ｇｒｏｕｐ  ｏｆ  Ｐｉｃｔｕｒｅ）を構成するデータであり、前記代替放送データは、前記ＧＯＰの要素データあるＩピクチャを構成するデータである
ことを特徴とする請求の範囲第１８項記載の第２受信装置。
【請求項２０】
前記放送データは、ＭＰＥＧ（Ｍｏｖｉｎｇ  Ｐｉｃｔｕｒｅ  Ｅｘｐｅｒｔ  Ｇｒｏｕｐ）方式により符号化されたＧＯＰ（Ｇｒｏｕｐ  ｏｆ  Ｐｉｃｔｕｒｅ）を構成するデータであり、前記代替放送データは、前記ＧＯＰの要素データあるＩピクチャとＰピクチャとを構成するデータである
ことを特徴とする請求の範囲第１８項記載の第２受信装置。
【請求項２１】
第１及び第２受信装置によって受信可能で、再生時刻を示す時間情報を有する放送データと放送データを識別する放送データ識別情報を送信する第１送信手段と、
前記放送データと同一内容で、前記放送データと同一の再生時刻を示す時間情報を有し、第２受信装置によって受信可能な代替放送データと代替放送データを識別する代替放送データ識別情報とを、前記放送データを送信する時刻より所定時間以上前に１回以上送信する第２送信手段と
を有する送信装置。
【請求項２２】
再生時刻を示す時間情報を有し、動画を構成する静止画データであり、第１及び第２受信装置によって受信可能な放送データと放送データを識別する放送データ識別情報を送信する第１送信手段と、
前記動画を構成し、前記放送データと時間的に連続した再生時刻を示す時間情報を有する静止画データであり、第２受信装置によって受信可能な代替放送データと代替放送データを識別する代替放送データ識別情報とを、前記放送データを送信する時刻より所定時間以上前に１回以上送信する第２送信手段と
を有する送信装置。
【請求項２３】
第１及び第２受信装置によって受信可能で、再生時刻を示す時間情報を有し、複数の要素データから構成される放送データと放送データを識別する放送データ識別情報を送信する第１送信手段と、
複数の前記要素データのうちの所定の要素データから構成され、前記放送データと同一の再生時刻を示す時間情報を有し、第２受信装置によって受信可能な代替放送データと代替放送データを識別する代替放送データ識別情報とを、前記放送データを送信する時刻より所定時間以上前に１回以上送信する第２送信手段と
を有する送信装置。
【請求項２４】
前記放送データは、ＭＰＥＧ（Ｍｏｖｉｎｇ  Ｐｉｃｔｕｒｅ  Ｅｘｐｅｒｔ  Ｇｒｏｕｐ）方式により符号化されたＧＯＰ（Ｇｒｏｕｐ  ｏｆ  Ｐｉｃｔｕｒｅ）を構成するデータであり、前記代替放送データは、前記ＧＯＰの要素データあるＩピクチャを構成するデータである
ことを特徴とする請求の範囲第２３項記載の送信装置。
【請求項２５】
前記放送データは、ＭＰＥＧ（Ｍｏｖｉｎｇ  Ｐｉｃｔｕｒｅ  Ｅｘｐｅｒｔ  Ｇｒｏｕｐ）方式により符号化されたＧＯＰ（Ｇｒｏｕｐ  ｏｆ  Ｐｉｃｔｕｒｅ）を構成するデータであり、前記代替放送データは、前記ＧＯＰの要素データあるＩピクチャとＰピクチャとを構成するデータである
ことを特徴とする請求の範囲第２３項記載の送信装置。
【請求項２６】
第１及び第２受信装置によって受信可能で、再生時刻を示す時間情報を有する放送データと放送データを識別する放送データ識別情報を送信する送信装置と、前記放送データと前記放送データ識別情報とを少なくとも受信する第２受信装置とから構成される放送データ送受信システムに用いる放送データ送受信方法であって、
前記送信装置において、前記放送データと同一内容の放送データで、前記放送データと同一の再生時刻を示す時間情報を有する代替放送データと代替放送データを識別する代替放送データ識別情報とを、前記放送データを送信する時刻より所定時間以上前に１回以上送信する送信ステップと、
前記代替放送データ識別情報を特定するための識別情報特定情報を記憶している記憶手段を有する前記第２受信装置において、
前記識別情報特定情報により特定される代替放送データ特定情報に基づいて、送信された前記代替放送データの取得を試み、前記放送データ識別情報に基づいて前記放送データの取得を試みる放送データ取得ステップと
放送データ取得手段によって前記放送データ又は前記代替放送データの取得がされた場合に、前記再生時刻が到来すると、取得された前記放送データ又は前記代替放送データの何れか１つを再生する再生ステップと、
を含むことを特徴とする放送データ送受信方法。
【請求項２７】
第１及び第２受信装置によって受信可能で、再生時刻を示す時間情報を有し、動画を構成する静止画データである放送データと放送データを識別する放送データ識別情報とを送信する送信装置と、前記放送データと前記放送データ識別情報とを少なくとも受信する第２受信装置とから構成される放送データ送受信システムに用いる放送データ送受信方法であって、
前記送信装置において、前記動画を構成し、前記放送データと時間的に連続した再生時刻を示す時間情報を有する静止画データである代替放送データと代替放送データを識別する代替放送データ識別情報とを、前記放送データを送信する時刻より所定時間以上前に１回以上送信する送信ステップと、
前記代替放送データ識別情報を特定するための識別情報特定情報を記憶している記憶手段を有する前記第２受信装置において、
前記識別情報特定情報により特定される代替放送データ識別情報に基づいて、送信された前記代替放送データの取得を試み、前記放送データ識別情報に基づいて前記放送データの取得を試みる放送データ取得ステップと
前記放送データの取得がされた場合に、前記放送データの再生時刻が到来すると、前記放送データを再生し、
前記代替放送データの取得がされた場合に、前記代替放送データの再生時刻が到来すると、取得された前記代替放送データを再生する再生ステップと、
を含むことを特徴とする放送データ送受信方法。
【請求項２８】
第１及び第２受信装置によって受信可能で、再生時刻を示す時間情報を有し、複数の要素データから構成される放送データと放送データを識別する放送データ識別情報を送信する送信装置と、前記放送データと前記放送データ識別情報とを少なくとも受信する第２受信装置とから構成される放送データ送受信システムに用いる放送データ送受信方法であって、
前記送信装置において、複数の前記要素データのうちの所定の要素データから構成され、前記放送データと同一の再生時刻を示す時間情報を有する代替放送データと代替放送データを識別する代替放送データ識別情報とを、前記放送データを送信する時刻より所定時間以上前に１回以上送信する送信ステップと、
前記代替放送データ識別情報を特定するための識別情報特定情報を記憶している記憶手段を有する前記第２受信装置において、
前記識別情報特定情報により特定される代替放送データ識別情報に基づいて、送信された前記代替放送データの取得を試み、前記放送データ識別情報に基づいて前記放送データの取得を試みる放送データ取得ステップと、
前記放送データの取得がされた場合に、前記放送データの再生時刻が到来すると、前記放送データのみを再生し、
前記放送データの取得ができず、前記代替放送データのみ取得された場合に限り、前記代替放送データの再生時刻が到来すると、取得された前記代替放送データを再生する再生ステップと
を含むことを特徴とする放送データ送受信方法。
【発明の詳細な説明】
【技術分野】  本発明は、放送データの送受信システム、特にデジタル放送の送受信システムに関する。
【背景技術】  現在既に運用が開始されているＢＳデジタル放送では、通常放送番組を構成する映像データ、音声データ、データ放送番組を構成する静止画や文字情報などの各種放送データが多重化されて送出される。
各種放送データを多重化する方式としては、ＭＰＥＧ−２  Ｔｒａｎｓｐｏｒｔ  Ｓｔｒｅａｍ（以下、「ＴＳ」という。）多重方式が使用されている。
ここで、「ＴＳ」とは、ＩＳＯ／ＩＥＣ１３８１８−１で規格化されているデータストリームのことをいい、具体的には、データサイズが１８８バイトに固定化され、各種放送データを分割して伝送する複数のＴＳパケットから構成されるデータストリームのことをいう。
ＭＰＥＧ−２  ＴＳ多重方式では、多重の対象となる各種放送データと、放送番組と各種放送データとの関係や各種放送データを伝送するＴＳパケットのＰＩＤの値などを示すＰＳＩ（Ｐｒｏｇｒａｍ  Ｓｐｅｃｉｆｉｃ  Ｉｎｆｏｒｍａｔｉｏｎ）と呼ばれる情報等の制御情報とがＴＳパケット単位に分割されて伝送される。
デジタル放送を送受信するための従来のデジタル放送送受信システム１０００は、送信装置１５００と受信装置１６００とから構成される。
図１５は、送信装置１５００の主要部の構成を示す機能ブロック図である。送信装置１５００は、エンコーダ部１５０１ａ１〜１５０１ａｎ、ＰＳＩ／ＳＩ情報提供部１５０２、ＴＳ多重化部１５０３、ＳＴＣ（Ｓｙｓｔｅｍ  Ｔｉｍｅ  Ｃｌｏｃｋ）部１５０５から構成される。
エンコーダ部１５０１ａ１〜１５０１ａｎは、各種放送データを符号化し、ＰＥＳ（Ｐａｃｋｅｔｉｚｅｄ  Ｅｌｅｍｅｎｔａｒｙ  Ｓｔｒｅａｍ）パケットを生成してＴＳ多重化部１５０３に出力する。
エンコーダ部１５０１ａ１〜１５０１ａｎは、ＰＥＳパケットを生成する過程において、ＳＴＣ部１５０５から入力された送信装置１５００の基準時刻を示すＳＴＣ（Ｓｙｓｔｅｍ  Ｔｉｍｅ  Ｃｌｏｃｋ）に基づいてＰＴＳ（Ｐｒｅｓｅｎｔａｔｉｏｎ  Ｔｉｍｅ  Ｓｔａｍｐ）、ＤＴＳ（Ｄｅｃｏｄｉｎｇ  Ｔｉｍｅ  Ｓｔａｍｐ）を生成し、生成したＰＴＳ及びＤＴＳをそれぞれ符号化してＰＥＳパケットに付加する。
ここで、「ＰＥＳパケット」は、データサイズが可変長のデータ構造を有し、制御情報を格納しているＰＥＳヘッダ部と、データ（ここでは、各種放送データ）を格納しているＰＥＳペイロード部とから構成される。
１つのＰＥＳパケットに格納されるデータの単位は、データとして意味のある単位、例えば、映像の１フレーム分のデータが格納される。又、ＰＴＳとＤＴＳは、制御情報としてＰＥＳヘッダ部に格納される。なお、ＰＥＳパケットのデータ構造の詳細については、後述する。
又、「ＰＴＳ」は、ＰＥＳペイロード部に格納されているデータの再生を開始する時刻を示す時間情報のことをいい、「ＤＴＳ」は、ＰＥＳペイロード部に格納されているデータのデコードを開始する時刻を示す時間情報のことをいう。
ＰＳＩ／ＳＩ情報提供部１５０２は、ＰＳＩ情報とＳＩ（Ｓｅｒｖｉｃｅ  Ｉｎｆｏｒｍａｔｉｏｎ）情報を生成するための元情報をＴＳ多重化部１５０３に出力する。
ここで、「ＰＳＩ情報」とは、放送チャネルを識別するための情報のことをいい、ＰＳＩ情報には、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）などが含まれる。
又、「ＳＩ情報」とは、放送番組名や放送番組の開始／終了時刻などを示す番組情報のことをいう。
ＳＴＣ部１５０５は、ＳＴＣを生成してエンコーダ部１５０１ａ１〜１５０１ａｎに出力し、さらに、ＰＣＲ（Ｐｒｏｇｒａｍ  Ｃｌｏｃｋ  Ｒｅｆｅｒｅｎｃｅ）を一定時間間隔で生成してＴＳ多重化部１５０３に出力する。
ここで、「ＰＣＲ」とは、ＳＴＣを示す基準時刻情報のことをいい、ＰＣＲは、一定時間間隔おきに生成され、放送データを受信する各受信装置における基準時刻を送信装置１５００における基準時刻と同期させるためにＳＴＣ部１５０５からＴＳ多重化部１５０３に出力され、ＴＳパケットに格納されて、各受信装置に送出される。
ＴＳ多重化部１５０３は、ＰＳＩ／ＳＩ情報作成部１５０４を有し、エンコーダ部１５０１ａ１〜１５０１ａｎより入力された各ＰＥＳパケットと、ＰＳＩ／ＳＩ情報作成部１５０４によって作成されたＰＳＩ情報及びＳＩ情報と、ＳＴＣ部１５０５より入力されたＰＣＲとをそれぞれ固定長のデータサイズのＴＳパケットに分割し、分割した各ＴＳパケットを時分割多重して送出する。
ＰＳＩ／ＳＩ情報作成部１５０４は、ＰＳＩ／ＳＩ情報提供部１５０４から提供された元情報に基づいてＰＳＩ情報とＳＩ情報を作成する。
図１６は、従来の受信装置１６００の主要部の構成を示す機能ブロック図である。受信装置１６００は、ＴＳ分離部１６０１、ＰＳＩ／ＳＩ解析・制御部１６０２、トランスポートバッファ部１６０３ａ１〜１６０３ａｎ、デコーダバッファ部１６０４ａ１〜１６０４ａｎ、デコーダ部１６０５ａ１〜１６０５ａｎ、ＳＴＣ部１６０６から構成される。
ＴＳ分離部１６０１は、ＴＳ分離部１６０１は、以下に示すＴＳパケット分離処理を行う。
無線受信部１６０８がアンテナ１６０７を介して送信装置１５００から送出されたＴＳを受信すると、ＴＳ分離部１６０１は、受信したＴＳからＰＳＩ情報を含むＴＳパケット（具体的にはＰＡＴを含むＴＳパケット（以下、「ＰＡＴパケット」という。））を分離し、分離したＴＳパケットをＰＳＩ／ＳＩ解析・制御部１６０２に出力する。
さらに、ＴＳ分離部１６０１は、ＰＳＩ／ＳＩ解析・制御部１６０２より、ＰＡＴパケットに含まれるＰＡＴの解析結果に基づいてＰＭＴを含むパケット（以下、「ＰＭＴパケット」という。）のＰＩＤの指定を受け取ると、指定されたＰＩＤのＰＭＴパケットを受信したＴＳから分離し、分離したＰＭＴパケットをＰＳＩ／ＳＩ解析・制御部１６０２に出力する。
さらに、ＴＳ分離部１６０１は、ＰＳＩ／ＳＩ解析・制御部１６０２より、ＰＭＴパケットに含まれるＰＭＴの解析結果に基づいて、入力部（図外）を介してユーザーから指定された放送チャネルの放送番組を構成するＴＳパケット（以下、「番組パケット」という。）とＰＣＲを含むＴＳパケット（以下、「ＰＣＲパケット」という。）のＰＩＤの指定を受け取ると、指定された番組パケットのＰＩＤ毎に対応付けられているトランスポートバッファ部に分離した番組パケットを出力し、又、分離したＰＣＲパケットをＳＴＣ部１６０６に出力する。
ＰＳＩ／ＳＩ解析・制御部１６０２は、以下に示す分離ＴＳパケット指定処理を行う。
ＰＳＩ／ＳＩ解析・制御部１６０２は、ＴＳ分離部１６０１より入力されたＰＳＩ情報を含むＴＳパケットに含まれるＰＡＴを参照して、入力部（図外）を介してユーザーによって指定された放送チャネルに対応するＰＭＴパケットのＰＩＤを特定し、特定したＰＩＤを分離すべきＰＭＴパケットのＰＩＤとしてＴＳ分離部１６０１に指定する。
さらにＰＳＩ／ＳＩ解析・制御部１６０２は、当該ＴＳパケットのＰＭＴの記述を参照して、番組パケット及びＰＣＲパケットのＰＩＤを特定し、特定したＰＩＤを分離すべきＴＳパケットのＰＩＤとしてＴＳ分離部１６０１に指定する。
トランスポートバッファ部１６０３ａ１〜１６０３ａｎは、ＴＳ分離部１６０１より入力される各ＰＩＤのＴＳパケットを、数個（少なくとも１個以上）のＰＥＳパケット単位で記憶し、所定の時間間隔で記憶しているＰＥＳパケットを対応する各デコーダバッファ部に出力する。
デコーダバッファ部１６０４ａ１〜１６０４ａｎは、対応するトランスポートバッファ部からそれぞれ入力されたＰＥＳパケットを記憶する。
ＳＴＣ部１６０６は、ＴＳ分離部１６０１より入力されたＰＣＲパケットのＰＣＲの示す送信装置１５００における基準時刻情報に基いて、受信装置１６００におけるＳＴＣを、送信装置１５００におけるＳＴＣに同期するように時刻を調整して、調整後のＳＴＣをデコーダ部１６０５ａ１〜１６０５ａｎに出力する。
デコーダ部１６０５ａ１〜１６０５ａｎは、デコーダバッファ部１６０４ａ１〜１６０４ａｎにそれぞれ記憶されているＰＥＳパケットに含まれるＰＴＳ及びＤＴＳの示す時刻に従って、当該ＰＥＳパケットを該当するデコーダバッファ部から読出し、デコードして再生する。
具体的には、デコーダ部１６０５ａ１〜１６０５ａｎは、ＳＴＣ部１６０６より入力された調整後のＳＴＣの示す時刻とＰＴＳ、ＤＴＳの示す時刻を比較することにより、ＰＴＳ、ＤＴＳのそれぞれ示す時刻が到来したか否かを判定し、到来した場合に、当該ＰＥＳパケットを該当するデコーダバッファ部から読出し、デコードして再生する。
これにより、送信装置１５００より送出された各種放送データを各受信装置において、送信装置側において設定された時刻に再生することができ、視聴者は、所望のデジタル放送番組を視聴することができる。
一方、ＢＳデジタル放送のような無線回線を使用する伝送システムにおいては、大雨等の悪天候の影響やフェージング等によって伝送路の状態が劣悪な状態になり、映像や音声を伝送する放送波が途中で遮断され、受信装置において、映像や音声を再生することが一時的に不可能になり、映像の途切れや雑音の発生等の問題を生ずる場合がある。
このような問題を解決する方法の１つとして、ＩＳＯ／ＩＥＣ１３８１８−１のＡｎｎｅｘ  Ｂに記載されているＤＳＭ−ＣＣ（Ｄｉｇｉｔａｌ  Ｓｔｏｒａｇｅ  Ｍｅｄｉａ  Ｃｏｍｍａｎｄ  ａｎｄ  Ｃｏｎｔｒｏｌ）において利用されている、送信装置から同じ情報を所定の時間周期で複数回繰返し送出する方法がある。
これにより、受信装置は、送信装置から複数回送出される何れか１つの情報を受信することができれば、完全な情報を再生することができ、デジタル放送を受信中に伝送路の状態が劣悪な状態になり、放送波の受信が一時的に不可能になった場合においても完全な映像及び音声を再現することが可能になる。
しかしながら、放送波の受信が一時的に不可能になる事態が生ずる頻度は、受信地域等によっても異なり、デジタル放送を受信する全ての受信装置において、同じ放送データを伝送する放送波から同じ放送データを複数回取得する処理を行なうこととすると、そのような事態がほとんど生ずることのない地域においては、同じ放送データを複数回取得するという無駄な処理が受信装置によって行なわれるという問題が生じる。
【発明の開示】
本発明は、上記問題に鑑み、本放送時に再生されるべき放送データの送信前に、予め当該放送データの代替放送データを送信装置から伝送する伝送方式において、代替放送データを取得する処理を行なう受信装置と、当該処理を行なわない受信装置とが不具合を生じることなく、共存することが可能な放送データ送受信システムを提供することを目的とする。
上記目的を達成すべく、本発明は、第１及び第２受信装置によって受信可能で、再生時刻を示す時間情報を有する放送データと放送データを識別する放送データ識別情報とを少なくとも送信する送信装置と、前記放送データと放送データ識別情報とを少なくとも受信する第２受信装置とから構成される放送データ送受信システムであって、前記送信装置はさらに、前記放送データと同一内容で、前記放送データと同一の再生時刻を示す時間情報を有する代替放送データと代替放送データを識別する代替放送データ識別情報とを、前記放送データを送信する時刻より所定時間以上前に１回以上送信し、前記第２受信装置は、前記代替放送データ識別情報を特定するための識別情報特定情報を記憶している記憶手段と、前記識別情報特定情報により特定される代替放送データ識別情報に基づいて、送信された前記代替放送データの取得を試み、前記放送データ識別情報に基づいて前記放送データの取得を試みる放送データ取得手段と、放送データ取得手段によって前記放送データ又は前記代替放送データの取得がされた場合に、前記再生時刻が到来すると、取得された前記放送データ又は前記代替放送データの何れか１つを再生する再生手段とを有する。
ここで、「第１受信装置」とは、従来の受信装置１６００のように、放送データを取得し、代替放送データを取得する機能を有しない受信装置のことをいう。
ここで、前記送信装置は、再生時刻の異なる複数の前記放送データを送信し、さらに複数の前記各放送データについて、当該放送データと同一内容の放送データで、同一の再生時刻を示す時間情報を有する代替放送データを、当該代替放送データと再生時刻が同一の前記放送データを送信する時刻より所定時間以上前に１回以上送信し、前記放送データ取得手段は、前記識別情報特定情報により特定される代替放送データ識別情報に基づいて、送信された複数の前記各代替放送データの取得を試み、前記放送データ識別情報に基づいて、送信された複数の前記各放送データの取得を試み、前記再生手段は、前記放送データ取得手段によって再生時刻が同一の前記放送データ又は代替放送データの取得がされた場合に、当該再生時刻が到来すると、当該放送データ又は代替放送データの何れか１つを再生することとしてもよい。
又、本発明は、第１及び第２受信装置によって受信可能で、再生時刻を示す時間情報を有する放送データと放送データを識別する放送データ識別情報とを少なくとも受信する第２受信装置であって、前記第２受信装置はさらに、前記放送データを送信する時刻より所定時間以上前に１回以上送信される、前記放送データと同一内容で、前記放送データと同一の再生時刻を示す時間情報を有する代替放送データと代替放送データを識別する代替放送データ識別情報とを受信し、前記第２受信装置は、前記代替放送データ識別情報を特定するための識別情報特定情報を記憶している記憶手段と、前記識別情報特定情報により特定される代替放送データ識別情報に基づいて、送信された前記代替放送データの取得を試み、前記放送データ識別情報に基づいて前記放送データの取得を試みる放送データ取得手段と、放送データ取得手段によって前記放送データ又は前記代替放送データの取得がされた場合に、前記再生時刻が到来すると、取得された前記放送データ又は前記代替放送データの何れか１つを再生する再生手段とを有することとしてもよい。
ここで、前記第２受信装置は、再生時刻の異なる複数の前記放送データを受信し、さらに複数の前記各放送データについて、当該放送データと同一内容で、同一の再生時刻を示す時間情報を有する代替放送データであって、当該代替放送データと再生時刻が同一の前記放送データを送信する時刻より所定時間以上前に１回以上送信される、代替放送データを受信し、前記放送データ取得手段は、前記識別情報特定情報により特定される代替放送データ識別情報に基づいて、送信された複数の前記各代替放送データの取得を試み、前記放送データ識別情報に基づいて、送信された複数の前記各放送データの取得を試み、前記再生手段は、前記放送データ取得手段によって再生時刻が同一の前記各放送データ又は代替放送データの取得がされた場合に、当該再生時刻が到来すると、当該放送データ又は代替放送データの何れか１つを再生することとしてもよい。
又、本発明は、第１及び第２受信装置によって受信可能で、再生時刻を示す時間情報を有する放送データと放送データを識別する放送データ識別情報を送信する第１送信手段と、前記放送データと同一内容で、前記放送データと同一の再生時刻を示す時間情報を有し、第２受信装置によって受信可能な代替放送データと代替放送データを識別する代替放送データ識別情報とを、前記放送データを送信する時刻より所定時間以上前に１回以上送信する第２送信手段とを有する送信装置であってもよい。
これにより、放送データが送信途中で失われた場合に当該放送データを補填するために送信する、放送データと内容が同一の代替放送データを放送データに追加して送信した場合においても、特定の受信装置においてのみ代替放送データの取得処理が行われ、その他の受信装置においては、放送データの取得処理のみが行われるので、その他の受信装置に代替放送データを処理するための余分な処理負荷を与えることなく、特定の受信装置において、放送データの受信が一時的にできなくなった場合における代替放送データに基づく受信できなかった放送データの補填再生処理を実行することができる。
ここで、前記放送データ取得手段は、記録媒体と、前記代替放送データと前記放送データのうち、最初に取得された放送データに限り前記記録媒体に記録する記録手段とを有し、前記再生手段は、前記再生時刻が到来すると、前記記録媒体に記録されている前記放送データ又は前記代替放送データを再生することとしてもよい。
これにより、代替放送データの取得処理を行う受信装置においては、同一内容のデータである放送データ及び代替放送データが重複して記録されることがないので、メモリ使用容量を少なくすることができる。
ここで、前記放送データ及び前記代替放送データは、複数の要素データから構成され、前記放送データ取得手段は、前記放送データ又は前記代替放送データを受信する毎に、受信した前記放送データ又は前記代替放送データに複数の前記要素データが全て含まれているか否かを判定する判定手段を有し、前記放送データ取得手段は、受信した前記放送データ又は前記代替放送データに複数の前記要素データが全て含まれている場合に限り、当該放送データを取得することとしてもよい。
又、複数の前記各放送データ及び代替放送データは、複数の要素データから構成され、前記放送データ取得手段は、複数の前記各放送データ又は代替放送データを受信する毎に、当該放送データ又は代替放送データに複数の前記要素データが全て含まれているか否かを判定する判定手段を有し、前記放送データ取得手段は、当該放送データ又は代替放送データに複数の前記要素データが全て含まれている場合に限り、当該放送データ又は代替放送データを取得することとしてもよい。
これにより、代替データの取得処理を行う受信装置においては、要素データの欠落のない放送データ又は代替データが記録されるので、放送波の受信が一時的に不可能になった場合においても欠落のない放送データ又は代替データに基づく完全な映像及び音声を再現することができる。
又、本発明は、第１及び第２受信装置によって受信可能で、再生時刻を示す時間情報を有する放送データと放送データを識別する放送データ識別情報を少なくとも送信する送信装置と、前記放送データと前記放送データ識別情報とを少なくとも受信する第２受信装置とから構成される放送データ送受信システムであって、
前記放送データは、動画を構成する静止画データであり、前記送信装置はさらに、前記動画を構成し、前記放送データと時間的に連続した再生時刻を示す時間情報を有する静止画データである代替放送データと代替放送データを識別する代替放送データ識別情報とを、前記放送データを送信する時刻より所定時間以上前に１回以上送信し、前記第２受信装置は、前記代替放送データ識別情報を特定するための識別情報特定情報を記憶している記憶手段と、前記識別情報特定情報により特定される代替放送データ識別情報に基づいて、送信された前記代替放送データの取得を試み、前記放送データ識別情報に基づいて前記放送データの取得を試みる放送データ取得手段と前記放送データの取得がされた場合に、前記放送データの再生時刻が到来すると、前記放送データを再生し、前記代替放送データの取得がされた場合に、前記代替放送データの再生時刻が到来すると、取得された前記代替放送データを再生する再生手段と、を有することとしてもよい。
又、本発明は、第１及び第２受信装置によって受信可能で、再生時刻を示す時間情報を有する放送データと放送データを識別する放送データ識別情報とを少なくとも受信する第２受信装置であって、前記放送データは、動画を構成する静止画データであり、前記第２受信装置はさらに、前記放送データを送信する時刻より所定時間以上前に１回以上送信される、前記動画を構成し、前記放送データと時間的に連続した再生時刻を示す時間情報を有する静止画データである代替放送データと代替放送データを識別する代替放送データ識別情報とを受信し、前記第２受信装置は、前記代替放送データ識別情報を特定するための識別情報特定情報を記憶している記憶手段と、前記識別情報特定情報により特定される代替放送データ識別情報に基づいて、送信された前記代替放送データの取得を試み、前記放送データ識別情報に基づいて前記放送データの取得を試みる放送データ取得手段と、前記放送データの取得がされた場合に、前記放送データの再生時刻が到来すると、前記放送データを再生し、前記代替放送データの取得がされた場合に、前記代替放送データの再生時刻が到来すると、取得された前記代替放送データを再生する再生手段とを有することとしてもよい。
又、本発明は、再生時刻を示す時間情報を有し、動画を構成する静止画データであり、第１及び第２受信装置によって受信可能な放送データと放送データを識別する放送データ識別情報を送信する第１送信手段と、前記動画を構成し、前記放送データと時間的に連続した再生時刻を示す時間情報を有する静止画データであり、第２受信装置によって受信可能な代替放送データと代替放送データを識別する代替放送データ識別情報とを、前記放送データを送信する時刻より所定時間以上前に１回以上送信する第２送信手段とを有することとしてもよい。
又、本発明は、第１及び第２受信装置によって受信可能で、再生時刻を示す時間情報を有し、動画を構成する静止画データである放送データと放送データを識別する放送データ識別情報とを送信する送信装置と、前記放送データと前記放送データ識別情報とを少なくとも受信する第２受信装置とから構成される放送データ送受信システムに用いる放送データ送受信方法であって、前記送信装置において、前記動画を構成し、前記放送データと時間的に連続した再生時刻を示す時間情報を有する静止画データである代替放送データと代替放送データを識別する代替放送データ識別情報とを、前記放送データを送信する時刻より所定時間以上前に１回以上送信する送信ステップと、前記代替放送データ識別情報を特定するための識別情報特定情報を記憶している記憶手段を有する前記第２受信装置において、前記識別情報特定情報により特定される代替放送データ識別情報に基づいて、送信された前記代替放送データの取得を試み、前記放送データ識別情報に基づいて前記放送データの取得を試みる放送データ取得ステップと前記放送データの取得がされた場合に、前記放送データの再生時刻が到来すると、前記放送データを再生し、前記代替放送データの取得がされた場合に、前記代替放送データの再生時刻が到来すると、取得された前記代替放送データを再生する再生ステップと、
を含むこととしてもよい。
これにより、同一内容の放送データを二重に送信することなく、送信途中で欠落した放送データに基づく映像と酷似した映像を、欠落した放送データと時間的に連続性を有する代替放送データに基づいて再生することができるので、放送データの伝送効率を高めることができ、又、放送データと当該放送データと連続性を有する代替放送データの両方が送信途中で欠落することなく取得された場合には、両方の放送データに基づく映像が連続再生されるので、何れか一方のみの放送データに基づく映像が再生される場合に比べ、より高品質の映像を再生することができる。
又、本発明は、第１及び第２受信装置によって受信可能で、再生時刻を示す時間情報を有する放送データと放送データを識別する放送データ識別情報とを少なくとも送信する送信装置と、前記放送データと前記放送データ識別情報とを少なくとも受信する第２受信装置とから構成される放送データ送受信システムであって、前記放送データは、複数の要素データから構成され、前記送信装置は、複数の前記要素データのうちの所定の要素データから構成され、前記放送データと同一の再生時刻を示す時間情報を有する代替放送データと代替放送データを識別する代替放送データ識別情報とを、前記放送データを送信する時刻より所定時間以上前に１回以上送信し、前記第２受信装置は、前記代替放送データ識別情報を特定するための識別情報特定情報を記憶している記憶手段と、前記識別情報特定情報により特定される代替放送データ識別情報に基づいて、送信された前記代替放送データの取得を試み、前記放送データ識別情報に基づいて前記放送データの取得を試みる放送データ取得手段と、前記放送データの取得がされた場合に、前記放送データの再生時刻が到来すると、前記放送データのみを再生し、前記放送データの取得ができず、前記代替放送データのみ取得された場合に限り、前記代替放送データの再生時刻が到来すると、取得された前記代替放送データを再生する再生手段とを有することとしてもよい。
又、本発明は、第１及び第２受信装置によって受信可能で、再生時刻を示す時間情報を有する放送データと放送データを識別する放送データ識別情報とを少なくとも受信する第２受信装置であって、前記放送データは、複数の要素データから構成され、前記第２受信装置はさらに、前記放送データを送信する時刻より所定時間以上前に１回以上送信される、複数の前記要素データのうちの所定の要素データから構成され、前記放送データと同一の再生時刻を示す時間情報を有する代替放送データと代替放送データを識別する代替放送データ識別情報とを受信し、
前記第２受信装置は、前記代替放送データ識別情報を特定するための識別情報特定情報を記憶している記憶手段と、前記識別情報特定情報により特定される代替放送データ識別情報に基づいて、送信された前記代替放送データの取得を試み、前記放送データ識別情報に基づいて前記放送データの取得を試みる放送データ取得手段と、前記放送データの取得がされた場合に、前記放送データの再生時刻が到来すると、前記放送データのみを再生し、前記放送データの取得ができず、前記代替放送データのみ取得された場合に限り、前記代替放送データの再生時刻が到来すると、取得された前記代替放送データを再生する再生手段とを有することとしてもよい。
又、本発明は、第１及び第２受信装置によって受信可能で、再生時刻を示す時間情報を有し、複数の要素データから構成される放送データと放送データを識別する放送データ識別情報を送信する送信装置と、前記放送データと前記放送データ識別情報とを少なくとも受信する第２受信装置とから構成される放送データ送受信システムに用いる放送データ送受信方法であって、前記送信装置において、複数の前記要素データのうちの所定の要素データから構成され、前記放送データと同一の再生時刻を示す時間情報を有する代替放送データと代替放送データを識別する代替放送データ識別情報とを、前記放送データを送信する時刻より所定時間以上前に１回以上送信する送信ステップと、前記代替放送データ識別情報を特定するための識別情報特定情報を記憶している記憶手段を有する前記第２受信装置において、前記識別情報特定情報により特定される代替放送データ識別情報に基づいて、送信された前記代替放送データの取得を試み、前記放送データ識別情報に基づいて前記放送データの取得を試みる放送データ取得ステップと、前記放送データの取得がされた場合に、前記放送データの再生時刻が到来すると、前記放送データのみを再生し、前記放送データの取得ができず、前記代替放送データのみ取得された場合に限り、前記代替放送データの再生時刻が到来すると、取得された前記代替放送データを再生する再生ステップとを含むこととしてもよい。
ここで、前記放送データは、ＭＰＥＧ（Ｍｏｖｉｎｇ  Ｐｉｃｔｕｒｅ  Ｅｘｐｅｒｔ  Ｇｒｏｕｐ）方式により符号化されたＧＯＰ（Ｇｒｏｕｐ  ｏｆ  Ｐｉｃｔｕｒｅ）を構成するデータであり、前記代替放送データは、前記ＧＯＰの要素データあるＩピクチャを構成するデータであることとしてもよい。
又、前記放送データは、ＭＰＥＧ（Ｍｏｖｉｎｇ  Ｐｉｃｔｕｒｅ  Ｅｘｐｅｒｔ  Ｇｒｏｕｐ）方式により符号化されたＧＯＰ（Ｇｒｏｕｐ  ｏｆ  Ｐｉｃｔｕｒｅ）を構成するデータであり、前記代替放送データは、前記ＧＯＰの要素データあるＩピクチャとＰピクチャとを構成するデータであることとしてもよい。
これにより、同一内容の放送データの全部を二重に送信することなく、送信途中で欠落した放送データに基づく映像の主要部を、欠落した放送データを構成する要素データのうち主要部を構成する代替データに基づいて再生することができ、主要部以外の要素データは、代替データとして送信されないので、送信すべき代替データのデータ量を少なくすることができる。
【図面の簡単な説明】  図１は、本実施の形態１における放送データ送受信システム１００の主要部の構成を示す機能ブロック図である。
図２（ａ）は、ＰＭＴに記述されている基準パケットＰＩＤ及び書換後ＰＣＲの内容の具体例を示す。
図２（ｂ）は、ＲＩＴに記述されている前送パケットＰＩＤの内容の具体例を示す。
図３は、送信装置７００から送出されたＴＳの具体例を模式的に表した図である。
図４は、送信装置７００によって送出されたＴＳに含まれるＴＳパケットの一部が途中で失われた場合におけるＴＳの具体例を示す。
図５は、ＰＥＳパケットの構造を示す図である。
図６（ａ）は、図４のＴＳを介して送出された、前送ＴＳパケットに欠損のない前送ＰＥＳパケット（ＰＥＳ１）を示す。
図６（ｂ）は、図４のＴＳを介して送出された、基準ＴＳパケットに欠損のある基準ＰＥＳパケット（ＰＥＳ１）を示す。
図６（ｃ）は、図４のＴＳを介して送出された、前送ＴＳパケットに欠損のある前送ＰＥＳパケット（ＰＥＳ２）を示す。
図６（ｄ）は、図４のＴＳを介して送出された、基準ＴＳパケットに欠損のない基準ＰＥＳパケット（ＰＥＳ２）を示す。
図７は、送信装置７００の主要部の構成を示す機能ブロック図である。
図８は、受信装置８００の主要部の構成を示す機能ブロック図である。
図９は、受信装置８００の行うＴＳパケット分離処理の動作を示すフローチャートである。
図１０は、受信装置８００のバッファ制御部８０７ａ１〜８０７ａｎの行なうＰＥＳパケット出力制御処理の動作を示すフローチャートである。
図１１は、ＲＩＴのデータ構造を示す図である。
図１２（ａ）は、インタレース走査方式により表示される動画を構成する静止画のフレーム画像の具体例を示す。
図１２（ｂ）は、順次走査方式により表示される動画を構成する時間的連続性のある静止画のフレーム画像の具体例を示す。
図１３は、受信装置１３００の主要部の構成を示す機能ブロック図である。
図１４は、ＰＥＳ１が受信装置８００に受信され再生された場合と受信装置１６００に受信されて再生された場合において、それぞれ表示される画像のイメージ図を示す。
図１５は、送信装置１５００の主要部の構成を示す機能ブロック図である。
図１６は、従来の受信装置１６００の主要部の構成を示す機能ブロック図である。
図１７は、受信装置１６００の行うＴＳパケット分離処理の動作を示すフローチャートである。
【発明を実施するための最良の形態】  以下、本発明の実施の形態に係る放送データ送受信システムについて、図を用いて説明する
＜構成＞
以下、本発明に係る放送データ送受信システムについて、図を参照して詳細に説明する。
図１は、本実施の形態１における放送データ送受信システム１００の主要部の構成を示す。
放送データ送受信システム１００は、送信装置７００、受信装置８００、受信装置１６００とから構成される。ここでは、以下の説明を簡略化するため、送信装置７００、受信装置８００、受信装置１６００はそれぞれ１つとしているが、各装置は、１つに限らず複数であってもよい。
放送データ送受信システムは、ハードウェアとしてはＣＰＵ、ＲＯＭ、ＲＡＭ、ハードディスク、デコーダ、フィルタ等から構成され、ＲＯＭ又は上記ハードディスクには、コンピュータプログラムが記憶され、上記ＣＰＵが、上記コンピュータプログラムに従って動作することにより、上記システムは、その機能を実現する。
図７は、送信装置７００の主要部の構成を示す機能ブロック図である。送信装置７００は、エンコーダ部７０１ａ１〜７０１ａｎ、ＰＳＩ／ＳＩ情報提供部７０２、ＴＳ多重化部７０３、ＳＴＣ（Ｓｙｓｔｅｍ  Ｔｉｍｅ  Ｃｌｏｃｋ）部７０４、遅延バッファ部７０５ａ１〜７０５ａｎ、ＰＣＲ書換部７０６から構成される。
エンコーダ部７０１ａ１〜７０１ａｎは、各種放送データを符号化し、ＰＥＳパケットを生成し、生成したＰＥＳパケットをＴＳ多重化部７０３及び遅延バッファ部７０５ａ１〜７０５ａｎに出力する。各エンコーダ部は、予め対応付けられている放送データの符号化を行い、例えば、エンコーダ部７０１ａ１は、映像データを符号化し、エンコーダ部７０１ａ２は、音声データを符号化する。
以下、同一のエンコーダ部で生成した同一のＰＥＳパケットのうち、ＴＳ多重化部７０３に直接出力されるＰＥＳパケットを「前送ＰＥＳパケット」と呼び、対応する遅延バッファ部を介してＴＳ多重化部７０３に出力されるＰＥＳパケットを「基準ＰＥＳパケット」と呼ぶこととする。
又、エンコーダ部７０１ａ１〜７０１ａｎは、ＰＥＳパケットを生成する過程において、ＳＴＣ部７０４から入力された送信装置７００の基準時刻を示すＳＴＣに基づいてＰＴＳ、ＤＴＳを生成し、生成したＰＴＳ及びＤＴＳをそれぞれ符号化して前送及び基準ＰＥＳパケットのそれぞれに付加する。これにより、前送ＰＥＳパケットと基準ＰＥＳパケットにそれぞれ同一のＰＴＳ及びＤＴＳが付加される。
図５は、ＰＥＳパケットの構造を示す図である。以下、図５を参照してＰＥＳパケットの主要部について説明する。ＰＥＳヘッダ部にはパケット開始コード、パケット長、“１０”で示されるストリーム識別子、ヘッダ長、フラグと制御情報、コンディショナル・コーティング等の制御情報が含まれる。
パケット開始コードは、ＰＥＳパケットの開始を示す符号であり、パケット長は、ＰＥＳパケットのバイト数を示し、ストリーム識別子は、エレメンタリーストリームの種類を示し、ヘッダ長は、ＰＥＳパケットのヘッダ部のバイト数を示し、コンディショナル・コーティングには、ＰＥＳペイロード部に挿入されるデータの再生時刻を指定するタイムスタンプ情報が含まれる。このタイムスタンプ情報には、ＰＴＳとＤＴＳの２種類が含まれる。
ＰＳＩ／ＳＩ情報提供部７０２は、ＰＳＩ情報とＳＩ情報を生成するための元情報をＴＳ多重化部７０３に出力する。
ＳＴＣ部７０４は、ＳＴＣを生成してエンコーダ部７０１ａ１〜７０１ａｎに出力し、さらに、ＰＣＲを一定時間間隔で生成して遅延バッファ部７０６に出力する。
ＴＳ多重化部７０３は、ＰＳＩ／ＳＩ情報作成部７０３１を有し、エンコーダ部７０１ａ１〜７０１ａｎより入力された各前送ＰＥＳパケットをＴＳパケットに分割し、分割した各ＴＳパケットに同一のＰＩＤを付与し、さらにＰＳＩ／ＳＩ情報作成部７０３１の作成したＲＩＴ（Ｒｅｓｅｎｄｉｎｇ  Ｉｎｆｏｒｍａｔｉｏｎ  Ｔａｂｌｅ）情報をＴＳパケットに分割し、分割したこれらのＴＳパケットを時分割多重して送出する。
ここで、「ＲＩＴ」とは、各前送ＰＥＳパケットの属するエレメンタリーストリームに含まれるＴＳパケットのＰＩＤ（以下、「前送パケットＰＩＤ」という。）を記述したテーブルのことをいう。ＲＩＴには、同一の放送番組を構成する各種放送データのエレメンタリーストリームに含まれるＴＳパケットの前送パケットＰＩＤが記述される。図１１は、ＲＩＴのデータ構造を示す図である。ＲＩＴのデータ構造はＰＭＴのデータ構造とほぼ同一であり、図１１の太枠１１０１及び１１０２で示すテーブル識別子とエレメンタリーストリームＰＩＤにおける記述のみが異なる。
具体的には、テーブル識別子には、ＰＭＴに与えられる識別子とは異なる識別子が付与され、又、エレメンタリーストリームＰＩＤには、前送パケットＰＩＤが記述される。
図２（ｂ）は、ＲＩＴに記述されている前送パケットＰＩＤの内容の具体例を示す。
又、ＴＳ多重化部７０３は、各前送ＰＥＳパケットの遅延バッファ部から入力された各前送ＰＥＳパケットに対応する基準ＰＥＳパケットと、ＰＳＩ／ＳＩ情報作成部７０３１によって作成されたＰＳＩ情報及びＳＩ情報と、ＰＣＲ書換部７０６から入力された書換後ＰＣＲとをそれぞれＴＳパケットに分割し、分割した各ＴＳパケットを時分割多重して送出する。
ここで、ＰＳＩ情報として送出されるＰＭＴには、各基準ＰＥＳパケットの属するエレメンタリーストリームに含まれるＴＳパケットのＰＩＤ（以下、「基準パケットＰＩＤ」という。）と書換後ＰＣＲを運ぶＴＳパケット（以下、「書換後ＰＣＲパケット」という。）のＰＩＤとが記述される。
図２（ａ）は、ＰＭＴに記述されている基準パケットＰＩＤ及び書換後ＰＣＲの内容の具体例を示す。
ＰＳＩ／ＳＩ情報作成部７０３１は、ＰＳＩ／ＳＩ情報提供部７０２より入力されたＰＳＩ情報とＳＩ情報を生成するための元情報に基づいて、ＰＳＩ情報及びＳＩ情報及びＲＩＴを作成する。
ＳＴＣ部７０４は、ＳＴＣを生成してエンコーダ部７０１ａ１〜７０１ａｎに出力し、さらに、ＰＣＲ（Ｐｒｏｇｒａｍ  Ｃｌｏｃｋ  Ｒｅｆｅｒｅｎｃｅ）を一定時間間隔で生成してＰＣＲ書換部７０６に出力する。
遅延バッファ部７０５ａ１〜７０５ａｎは、エンコーダ部７０１ａ１〜７０１ａｎから入力された各基準ＰＥＳパケットを予め設定された時間、一時的に格納し、設定時間経過後、各基準ＰＥＳパケットをＴＳ多重化部７０３に出力する。
なお、上記設定時間は、全ての遅延バッファ部において、同一時間に設定されるものとする。以下、上記設定時間を「遅延時間」と呼ぶ。
ＰＣＲ書換部７０６は、ＳＴＣ部７０４から入力される各ＰＣＲの示す時刻を遅延時間分だけ遅れた時刻に書換えてＴＳ多重化部７０３に出力する。これにより、ＰＣＲの示す基準時刻を、基準ＰＥＳパケットのＰＴＳ及びＤＴＳの基準時刻と整合させることが可能となる。
又、送信装置７００を用いることにより、同一内容の放送データを所定の時間間隔で複数回送出することが可能となる。
図３は、送信装置７００から送出されたＴＳの具体例を模式的に表した図である。ＴＳに含まれる各ＴＳパケットは、ＴＳパケット１０１〜１１９の順に送出されるものとする。図３の１０１、１１６は、ＰＭＴを含むＴＳパケットを、１０３、１１１１は、ＲＩＴを含むＴＳパケットを、１０２、１１７は、ＰＣＲを含むＴＳパケットを、１０５、１０９、１１３、１１９は、映像データの前送ＴＳパケットを、１０７は、音声データの前送ＴＳパケットを、１０４、１０８、１１２、１１８は、映像データの基準ＴＳパケットを、１０６、１１４は、音声データの基準ＴＳパケットをそれぞれ表す。
ここで、「前送ＴＳパケット」とは、前送ＰＥＳパケットを構成するＴＳパケットのことをいい、「基準ＴＳパケット」とは、基準ＰＥＳパケットを構成するＴＳパケットのことをいう。
又、図３の両方向の矢印直線で結ばれるＴＳパケットの組は、それぞれ同一内容のデータを含む前送ＴＳパケットと対応する基準ＴＳパケットの組を示す。
又、図３のＲＩＴには、映像データの前送ＴＳパケットのＰＩＤと音声データの前送ＴＳパケットのＰＩＤが記述され、ＰＭＴには、映像データの基準ＴＳパケットのＰＩＤと音声データの基準ＴＳパケットのＰＩＤとＰＣＲを含むＴＳパケットのＰＩＤが記述されている。
図８は、受信装置８００の主要部の構成を示す機能ブロック図である。受信装置８００は、ＴＳ分離部８０１、ＰＳＩ／ＳＩ解析・制御部８０２、トランスポートバッファ部８０３ａ１〜８０３ａｎ、デコーダバッファ部８０４ａ１〜８０４ａｎ、デコーダ部８０５ａ１〜８０５ａｎ、ＳＴＣ部８０６から構成される。
無線受信部８０８がアンテナ８０７を介して送信装置７００から送出されたＴＳの受信を開始すると、ＴＳ分離部８０１は、ＰＳＩ／ＳＩ解析・制御部８０２からＲＩＴ情報を含むＴＳパケット（以下、「ＲＩＴパケット」という。）のＰＩＤの指定を受取り、当該ＰＩＤのＲＩＴパケットを受信したＴＳから分離し、分離したＲＩＴパケットをＰＳＩ／ＳＩ解析・制御部８０２に出力する。
又、ＴＳ分離部８０１は、ＰＳＩ情報を含むＴＳパケット（具体的にはＰＡＴを含むＴＳパケット）を受信したＴＳから分離し、分離したＴＳパケットをＰＳＩ／ＳＩ解析・制御部８０２に出力する。
さらに、ＴＳ分離部８０１は、ＰＳＩ／ＳＩ解析・制御部８０２より、ＲＩＴ情報の解析結果に基づく分離すべき前送ＴＳパケットのＰＩＤの指定を受け取ると、指定されたＰＩＤの前送ＴＳパケットを受信したＴＳから分離し、分離した前送ＴＳパケットのＰＩＤ毎に対応付けられているバッファ制御部に分離した前送ＴＳパケットを出力する。
又、ＴＳ分離部８０１は、ＰＳＩ／ＳＩ解析・制御部８０２より、ＰＡＴパケットに含まれるＰＡＴの解析結果に基づいてＰＭＴパケットのＰＩＤの指定を受け取ると、指定されたＰＩＤのＰＭＴパケットを受信したＴＳから分離し、分離したＰＭＴパケットをＰＳＩ／ＳＩ解析・制御部８０２に出力する。
さらに、ＴＳ分離部８０１は、ＰＳＩ／ＳＩ解析・制御部８０２より、ＰＭＴパケットに含まれるＰＭＴの解析結果に基づいて、入力部（図外）を介してユーザーから指定された放送チャネルの放送番組を構成する基準ＴＳパケットと書換後ＰＣＲパケットのＰＩＤの指定を受け取ると、指定されたＰＩＤの基準ＴＳパケットと書換後ＰＣＲパケットとを受信したＴＳから分離し、分離した基準ＴＳパケットのＰＩＤ毎に対応付けられているバッファ制御部に分離した基準ＴＳパケットを出力し、又、分離した書換後パケットをＳＴＣ部８０６に出力する。
ＰＳＩ／ＳＩ解析・制御部８０２は、ＰＭＴ解析制御部８０２１とＲＩＴ解析制御部８０２２を有し、以下に示す分離ＴＳパケット指定処理を行う。
ＰＳＩ／ＳＩ解析・制御部８０２は、ＴＳ分離部８０１より入力されたＰＳＩ情報を含むＴＳパケットに含まれるＰＡＴを参照して、入力部（図外）を介してユーザーによって指定された放送チャネルに対応するＰＭＴパケットのＰＩＤを特定し、特定したＰＩＤを分離すべきＰＭＴパケットのＰＩＤとしてＴＳ分離部８０１に指定する。
ＰＭＴ解析制御部８０２１は、ＴＳ分離部８０１から入力されたＰＭＴパケットのＰＭＴの記述を参照して、指定された放送チャネルの放送番組を構成する各放送データを運ぶ基準ＴＳパケット及び書換後パケットのＰＩＤを特定し、特定したＰＩＤを分離すべきＴＳパケットのＰＩＤとしてＴＳ分離部８０１に指定する。
ＲＩＴ解析制御部８０２２は、記憶部８０２３を有し、入力部（図外）からの受信すべき放送チャネルの指定に基づいて無線受信部８０８による当該放送チャネルに対応するＴＳの受信が開始されると、予め記憶部８０２３に記憶されているＲＩＴパケットのＰＩＤを読み出し、分離すべきＴＳパケットのＰＩＤとしてＴＳ分離部８０１に指定する。
又、ＲＩＴ解析制御部８０２２は、ＴＳ分離部８０１から入力されたＲＩＴパケットのＲＩＴの記述を参照して、指定された放送チャネルの放送番組を構成する各放送データを含む前送ＴＳパケットのＰＩＤを特定し、特定したＰＩＤを分離すべき前送ＴＳパケットのＰＩＤとしてＴＳ分離部８０１に指定する。
トランスポートバッファ部８０３ａ１〜８０３ａｎは、バッファ制御部８０７ａ１〜８０７ａｎより入力される前送又は基準ＰＥＳパケットを、数個（少なくとも１個以上）のＰＥＳパケット単位で記憶し、記憶しているＰＥＳパケットを対応する各デコーダバッファ部に所定の時間間隔で出力する。
デコーダバッファ部８０４ａ１〜８０４ａｎは、対応するトランスポートバッファ部からそれぞれ入力された前送又は基準ＰＥＳパケットを記憶する。
ＳＴＣ部８０６は、ＴＳ分離部８０１より入力された書換後ＰＣＲパケットの書換後ＰＣＲの示す基準時刻情報に基いて、受信装置８００におけるＳＴＣを、送信装置７００におけるＳＴＣの示す時刻より、遅延時間分だけ遅れた時刻に同期するように時刻を調整して、調整後のＳＴＣをデコーダ部８０５ａ１〜８０５ａｎに出力する。
デコーダ部８０５ａ１〜８０５ａｎは、デコーダバッファ部８０４ａ１〜８０４ａｎにそれぞれ記憶されているＰＥＳパケットに含まれるＰＴＳ、ＤＴＳの示す時刻と調整後のＳＴＣの示す時刻とを比較し、調整後のＳＴＣの時刻がＰＴＳ、ＤＴＳの示す時刻に達した場合に、当該ＰＥＳパケットを該当するデコーダバッファ部から読出し、デコードして再生する。
バッファ制御部８０７ａ１〜８０７ａｎは、それぞれバッファ（図外）を有し、以下に示すＰＥＳパケット出力制御処理を行う。
バッファ制御部８０７ａ１〜８０７ａｎは、ＴＳ分離部８０１より入力された各ＰＩＤの前送又は基準ＴＳパケットを、バッファに数個（少なくとも１個以上）のＰＥＳパケット単位にまとめて記録し、各ＰＥＳパケットのヘッダ部に記述されているパケット長の情報を取得し、当該パケット長の示すＰＥＳパケットのバイト数と記録したＰＥＳパケットのバイト数とを比較し、記録したＰＥＳパケットのバイト数がパケット長の示すバイト数より小さい場合には、当該ＰＥＳパケットの一部が欠損していると判定し、当該ＰＥＳパケットを破棄し、パケット長の示すバイト数より小さくない場合には、当該バッファ制御部に対応付けられているトランスポートバッファ部に当該ＰＥＳパケットが記録されているか否かを、当該ＰＥＳパケットのヘッダ部に含まれるＰＴＳの示す時刻と同一の時刻を示すＰＴＳをヘッダ部に含むＰＥＳパケットが記録されている各ＰＥＳパケットの中に存在するか否かにより判定し、存在する場合に記録したＰＥＳパケットのトランスポートバッファ部への出力を抑止し、存在しない場合に記録したＰＥＳパケットをトランスポートバッファ部へ出力する。
これにより、ＰＥＳパケットを構成するＴＳパケットの一部が欠損しているＰＥＳパケットを検出し、当該ＰＥＳパケットのトランスポートバッファ部への出力を抑止するとともに、重複するＰＥＳパケットがトランスポートバッファ部に記録されるのを抑止することができる。
受信装置１６００の構成については、すでに「背景技術」の所で説明済みであるので説明を省略する。
＜動作＞
次に、受信装置１６００の行うＴＳパケット分離処理の動作について説明する。図１７は、上記動作を示すフローチャートである。
無線受信部１６０８は、送信装置７００から送出されたＴＳをアンテナ１６０７介して受信する（ステップＳ１７０１）。
ＴＳ分離部１６０１は、受信したＴＳからＰＡＴパケットを分離し（ステップＳ１７０２）、ＰＳＩ／ＳＩ解析・制御部１６０２に出力する。
ＰＳＩ／ＳＩ解析・制御部１６０２は、ＴＳ分離部１６０１より入力されたＰＡＴパケットに含まれるＰＡＴを参照して、入力部を介してユーザーによって指定された放送チャネルに対応するＰＭＴパケットのＰＩＤを特定し（ステップＳ１７０３）、特定したＰＩＤを分離すべきＰＭＴパケットのＰＩＤとしてＴＳ分離部１６０１に指定する（ステップＳ１７０４）。
ＴＳ分離部１６０２は、ＰＳＩ／ＳＩ解析・制御部１６０２より、ＰＭＴパケットのＰＩＤの指定を受け取ると、受信したＴＳから指定されたＰＩＤのＰＭＴパケットを分離し（ステップＳ１７０５）、分離したＰＭＴパケットをＰＳＩ／ＳＩ解析・制御部１６０２に出力する。
ＰＳＩ／ＳＩ解析・制御部１６０２は、ＰＭＴパケットのＰＭＴの記述を参照して、基準パケット及び書換後ＰＣＲパケットのＰＩＤを特定し（ステップＳ１７０６）、特定した基準パケット及び書換後ＰＣＲパケットのＰＩＤをそれぞれ分離すべきＴＳパケットのＰＩＤとしてＴＳ分離部１６０１に指定する（ステップＳ１７０７）。
ＴＳ分離部１６０１は、ＰＳＩ／ＳＩ解析・制御部１６０２より、基準ＴＳパケットと書換後ＰＣＲパケットのＰＩＤの指定を受け取ると、受信したＴＳから指定されたＰＩＤの基準ＴＳパケットと書換後ＰＣＲパケットとを分離し（ステップＳ１７０８）、分離した基準ＴＳパケットのＰＩＤ毎に対応付けられているトランスポートバッファ部に分離した基準ＴＳパケットを出力し、又、分離した書換後パケットをＳＴＣ部８０６に出力する（ステップＳ１７０９）。
これにより、受信装置１６００は、送信装置７００から送出される前送及び基準ＴＳパケットを含むＴＳを受信した場合においても、不具合を生じることなく前送ＴＳパケットを含まないＴＳを受信した場合と同様のＴＳパケット分離処理を実行することができる。
次に受信装置８００の行うＴＳパケット分離処理の動作について説明する。図９は、上記動作を示すフローチャートである。
無線受信部８０８が、アンテナ８０７を介して送信装置７００から送出されたＴＳの受信を開始すると（ステップＳ９０１）、ＲＩＴ解析制御部８０２２は、予め記憶部８０２３に記憶されているＲＩＴパケットのＰＩＤを読み出し、分離すべきＴＳパケットのＰＩＤとしてＴＳ分離部８０１に指定する（ステップＳ９０２）。
ＴＳ分離部８０１は、ＰＳＩ／ＳＩ解析・制御部８０２から当該ＰＩＤの指定を受取り、当該ＰＩＤのＲＩＴパケットを分離し（ステップＳ９０３）、分離したＲＩＴパケットをＰＳＩ／ＳＩ解析・制御部８０２に出力する。
ＲＩＴ解析制御部８０２２は、ＴＳ分離部８０１から入力されたＲＩＴパケットのＲＩＴの記述を参照して、指定された放送チャネルの放送番組を構成する各放送データを含む前送ＴＳパケットのＰＩＤを特定し（ステップＳ９０４）、特定したＰＩＤを分離すべき前送ＴＳパケットのＰＩＤとしてＴＳ分離部８０１に指定する（ステップＳ９０５）。
ＴＳ分離部８０１は、ＲＩＴ解析制御部８０２２より、分離すべき前送ＴＳパケットのＰＩＤの指定を受け取ると、指定されたＰＩＤの前送ＴＳパケットを受信したＴＳから分離し（ステップＳ９０６）、分離した前送ＴＳパケットのＰＩＤ毎に対応付けられているバッファ制御部に分離した前送ＴＳパケットを出力する（ステップＳ９０７）。
ＴＳ分離部８０１は、さらに受信したＴＳからＰＡＴを分離し（ステップＳ９０８）、分離したＰＡＴパケットをＰＳＩ／ＳＩ解析・制御部８０２に出力する。
ＰＳＩ／ＳＩ解析・制御部８０２は、ＴＳ分離部８０１より入力されたＰＡＴパケットに含まれるＰＡＴから、指定された放送チャネルに対応するＰＭＴパケットのＰＩＤを特定し（ステップＳ９０９）、特定したＰＩＤを分離すべきＰＭＴパケットのＰＩＤとしてＴＳ分離部８０１に指定する（ステップＳ９１０）。
ＴＳ分離部８０１は、ＰＳＩ／ＳＩ解析・制御部８０２より、ＰＭＴパケットのＰＩＤの指定を受け取ると、指定されたＰＩＤのＰＭＴパケットを受信したＴＳから分離し（ステップＳ９１１）、分離したＰＭＴパケットをＰＳＩ／ＳＩ解析・制御部８０２に出力する。
ＰＭＴ解析制御部８０２１は、ＴＳ分離部８０１から入力されたＰＭＴパケットのＰＭＴの記述を参照して、指定された放送チャネルの放送番組を構成する各放送データを運ぶ基準ＴＳパケット及び書換後ＰＣＲパケットのＰＩＤを特定し（ステップＳ９１２）、特定したＰＩＤを分離すべきＴＳパケットのＰＩＤとしてＴＳ分離部８０１に指定する（ステップＳ９１３）。
ＴＳ分離部１６０１は、ＰＭＴ解析制御部８０２１より、基準ＴＳパケットと書換後ＰＣＲパケットのＰＩＤの指定を受け取ると、受信したＴＳから指定されたＰＩＤの基準ＴＳパケットと書換後ＰＣＲパケットとを分離し（ステップＳ９１４）、分離した基準ＴＳパケットのＰＩＤ毎に対応付けられている制御バッファ部に分離した基準ＴＳパケットを出力し、又、分離した書換後パケットをＳＴＣ部８０６に出力する（ステップＳ９１５）。
これにより、受信装置８００は、受信装置１６００とは、異なり、送信装置７００から送出される前送及び基準ＴＳパケットを含むＴＳから前送及び基準ＴＳパケットの両方を分離し取得することができる。
次に受信装置８００のバッファ制御部８０７ａ１〜８０７ａｎの行なうＰＥＳパケット出力制御処理の動作について説明する。図１０は、上記動作を示すフローチャートである。
バッファ制御部８０７ａ１〜８０７ａｎは、ＴＳ分離部８０１より各ＰＩＤの前送又は基準ＴＳパケットの入力があると（ステップＳ１００１）、入力されたＴＳパケットをバッファに数個のＰＥＳパケット単位にまとめて記録し（ステップＳ１００２）、記録したＰＥＳパケットのヘッダ部に記述されているパケット長の示す情報に基いて、記録したＰＥＳパケットのバイト数がパケット長の示すバイト数よりも小さいか否かを判定する（ステップＳ１００３）。
記録したＰＥＳパケットのバイト数がパケット長の示すバイト数よりも小さい場合（ステップＳ１００３：Ｙ）、当該ＰＥＳパケットの一部が欠損していると判定し、当該ＰＥＳパケットを破棄する（ステップＳ１００４）。
記録したＰＥＳパケットのバイト数がパケット長の示すバイト数よりも小さくない場合（ステップＳ１００３：Ｎ）、当該ＰＥＳパケットに欠損はないと判定し、当該バッファ制御部に対応付けられているトランスポートバッファ部に当該ＰＥＳパケットが記録されているか否かを、当該ＰＥＳパケットのヘッダ部に含まれるＰＴＳの示す時刻と同一の時刻を示すＰＴＳをヘッダ部に含むＰＥＳパケットが当該トランスポートバッファ部に記録されている各ＰＥＳパケットの中に存在するか否かにより判定する（ステップＳ１００５）。
当該トランスポートバッファ部に当該ＰＥＳパケットが記録されている場合（ステップＳ１００５：Ｙ）、当該ＰＥＳパケットを破棄し（ステップＳ１００４）、
当該トランスポートバッファ部に当該ＰＥＳパケットが記録されていない場合（ステップＳ１００５：Ｎ）、当該ＰＥＳパケットを当該トランスポートバッファ部に出力する（ステップＳ１００６）。
＜具体例＞
次に、本放送データ送受信システム１００において、送信途中で失われた放送データが有効に復元される場合の具体例について説明する。
図４は、送信装置７００によって送出されたＴＳに含まれるＴＳパケットの一部が途中で失われた場合におけるＴＳの具体例を示す。
図４の縦の点線の模様のある各四角形は、前送ＰＥＳパケットを構成するＴＳパケット（以下、「前送ＴＳパケット」という。）を示し、横の実線の模様のある各四角形は、基準ＰＥＳパケットを構成するＴＳパケット（以下、「基準ＴＳパケット」という。）を示し、Ｘ印のある各四角形は、天候の悪化等の原因で送信途中で失われた受信不可のＴＳパケットを示す。図４のＡ’〜Ｄ’の前送ＴＳパケットとＡ〜Ｄの基準ＴＳパケットは、図６（ａ）及び（ｂ）に示されるようにそれぞれ同一内容のＰＥＳパケットである「ＰＥＳ１」を構成し、Ｅ’〜Ｈ’の前送ＴＳパケットとＥ〜Ｈの基準ＴＳパケットは、図６（ｃ）及び（ｄ）に示されるようにそれぞれ同一内容のＰＥＳパケットである「ＰＥＳ２」を構成する。
上述したように、図６（ａ）に示す、前送ＴＳパケットに欠損のない前送ＰＥＳパケット（ＰＥＳ１）は、受信装置８００に記録されて再生されるため、後から受信装置８００に受信される同一内容の図６（ｂ）に示す基準ＰＥＳパケット（ＰＥＳ１）に欠損があった場合においても、ＰＥＳ１を完全に再生することができる。
図１４は、ＰＥＳ１が受信装置８００に受信され再生された場合と受信装置１６００に受信されて再生された場合において、それぞれ表示される画像のイメージ図を示す。ここでは、ＰＥＳ１は、１つのフレーム画像を構成する映像データであることとする。図１４の１００１は、ＴＳパケットの欠損がない場合に再生される画像を示し、１００２は、受信装置１６００において再生される画像を示し、１００３は、受信装置８００において再生される画像を示す。
同様に、図６（ｄ）の基準ＴＳパケットに欠損のない基準ＰＥＳパケット（ＰＥＳ２）は、受信装置８００に記録され、再生されるため、その前に受信装置８００に受信された同一内容の図６（ｃ）の前送ＰＥＳパケット（ＰＥＳ２）に欠損があった場合においても、ＰＥＳ２を完全に再生することができる。
このように同じ内容のＰＥＳパケットを前送ＴＳパケット及び基準ＴＳパケットとして時間間隔をあけて複数回送出することにより、送信途中で何れかの種類のＰＥＳパケットが失われた場合においても、もう一方の同一内容のＰＥＳパケットが受信装置８００によって受信されることにより、完全な映像及び音声を再現することが可能になる。
＜補足＞
以上、本発明に係る放送データ送受信システム１００について説明したが、本発明はこれら実施の形態に限られないことは勿論である。即ち、
（１）本実施の形態の放送データ送受信システムにおいては、同一内容の放送データを送出時刻を遅延させて複数回送出することとしたが、同一内容の放送データを複数回送出する代わりに、互いに当該放送データに基づいて類似する映像を再現することが可能で、互いに補完関係にある放送データを送出することとしてもよい。
具体的には、インタレース走査方式により表示されるフレーム画像のように、それぞれ、時間的に連続性を有するフレーム画像の奇数フィールドを構成する画像データと偶数フィールドを構成する画像データとを符号化し、それぞれＰＥＳパケットを生成し、生成した奇数フィールドと偶数フィールドのＰＥＳパケットの何れか一方を前送ＰＥＳパケット、もう一方を基準ＰＥＳパケットとして送出することとしてもよい。
図１２（ａ）は、インタレース走査方式により表示される動画を構成する静止画のフレーム画像の具体例を示す。図１２（ａ）の１２０１は、奇数フィールドと偶数フィールドのそれぞれが構成する画像を合成したフレーム画像を示し、１２０２の斜線で示す部分は、奇数フィールドの構成するフレーム画像を示し、１２０３の斜線で示す部分は、偶数フィールドの構成するフレーム画像を示す。図１２（ａ）の１２０２及び１２０３が示すように、奇数フィールド又は偶数フィールドの何れか１つの構成する画像データのみに基づいて、完全なフレーム画像である１２０１と酷似するフレーム画像を再生することができる。
又、順次走査方式により１枚のフレーム画像を分けることなく表示される動画を構成する時間的連続性のある複数の静止画のフレーム画像群を奇数番目と偶数番目のフレーム画像群に分割し、奇数番目の各フレーム画像を構成する画像データと偶数番目の各フレーム画像を構成する画像データとを符号化し、それぞれＰＥＳパケットを生成し、奇数番目又は偶数番目の画像データのＰＥＳパケットの何れか一方を前送ＰＥＳパケット、もう一方を基準ＰＥＳパケットとして送出することとしてもよい。
図１２（ｂ）は、順次走査方式により表示される動画を構成する時間的連続性のある静止画のフレーム画像の具体例を示す。図１２（ｂ）の１２１１は、動画を構成する時間的連続性のある静止画のフレーム画像群を示し、１２１２は、１２１１に示すフレーム画像群から奇数番目のみのフレーム画像を抽出したフレーム画像群を示し、１２１３は、１２１１に示すフレーム画像群から偶数番目のみのフレーム画像を抽出したフレーム画像群を示す。
上記の変形実施例は、以下に示す放送データ送受信システムの構成によって実現することができる。
送信装置は、本実施の形態における送信装置７００と同一の構成によって実現することができる。但し、前送ＰＥＳパケットと基準ＰＥＳパケットには、それぞれ異なるＰＴＳ、ＤＴＳが付加される。
又、基準パケットのみを受信する受信装置についても、本実施の形態における受信装置１６００と同一の構成によって実現することができる。
前送ＰＥＳパケットと基準ＰＥＳパケットの両方を受信する受信装置は、図１３に示す受信装置１３００によって実現できる。
以下、本実施の形態における受信装置８００の構成との相違点を中心に説明する。受信装置８００では、ＴＳ分離部８０１によって分離された前送ＴＳパケット及び基準ＴＳパケットは、同一のバッファ制御部に出力されたが、受信装置１３００では、それぞれのＰＩＤに対応するトランスポートバッファ部にＰＥＳパケットとして記録され、さらに、途中で破棄されることなく、デコーダバッファ部に出力され、ＰＥＳパケットのＰＴＳ、ＤＴＳの示す時刻が到来すると、当該ＰＥＳパケットは、デコーダ部によってデコード、再生され、合成部で前送ＰＥＳパケットと基準ＰＥＳパケットに含まれる各映像データは合成され、映像信号に変換されて出力される。
これにより、同一内容の放送データを重複して送ることなく、放送波の受信が一時的に不可能になった場合においても、受信できなかった放送波の運ぶ放送データに基づく映像とほぼ同一の映像を復元することができるので、データの伝送効率を改善することができ、又、受信された補完関係にある各映像データは、破棄されることなく、合成されて出力されるので、より高品質の映像を提供することができる。
又、音声データの場合においても、サンプリングポイントをずらすことにより、上記と同様に、音声データを互いに補完関係にある音声データに分割し、それぞれ前送ＰＥＳパケット、基準ＰＥＳパケットとして送出することとしてもよい。
（２）又、（１）の場合のように、互いに補完関係にある放送データを送出する代わりに、放送データの一部が重複する異なる放送データを送出することとしてもよい。
例えば、ＭＰＥＧ−２等の規格に従って、順方向予測符号化により圧縮された、１つのＩピクチャと複数のＢピクチャ、Ｐピクチャから成るＧＯＰ（Ｇｒｏｕｐ  ｏｆ  Ｐｉｃｔｕｒｅ）単位で構成される映像データストリームを放送データとして送出する場合に、各ＧＯＰを基準ＰＥＳパケットで送出し、各ＧＯＰに１つ含まれる、単独でデコード、再生が可能なＩピクチャを前送ＰＥＳパケットで送出することとしてもよい。
これにより、前送ＰＥＳパケットを送出するのに要するＴＳパケット数を少なくすることができ、送信装置の処理負荷を軽減できるとともに、送出したＧＯＰが途中で失われた場合においても、映像の主要部を復元することが可能となる。
この変形実施例は、本実施の形態における放送データ送受信システム１００によって実現することができる。但し、図１０に示すＰＥＳパケット出力制御処理の動作において、受信装置８００のバッファ制御部８０７ａ１〜８０７ａｎは、ステップＳ１００５に示す判定処理において、ＰＴＳの示す時刻が同一のＰＥＳパケットがトランスポートバッファ部に記録されている場合に（ステップＳ１００５：Ｙ）、ステップＳ１００４の処理を行なわず、代わりに記録済みのＰＥＳパケットを破棄して、バッファに記録したＰＥＳパケットを対応するトランスポートバッファ部に出力する処理を行なうという点において、相違する。
この相違点があることにより、ＧＯＰを含むＰＥＳパケットが送出後途中で失われることなく受信された場合には、対応するＩピクチャがトランスポートバッファ部に記録されている場合においても、受信されたＧＯＰと置換されるため、ＧＯＰに基づく映像が優先的に再生される。
（３）本実施の形態においては、基準ＰＥＳパケットの送出前に送出される前送ＰＥＳパケットの送出回数は、１回としたが、送出される前送ＰＥＳパケットの送出回数は、１回に限らず複数回であってもよい。
（４）本実施の形態においては、放送番組を構成する全ての種類の放送データについて、前送ＰＥＳパケット、基準ＰＥＳパケットを送出することとしたが、特定の放送データ（例えば映像データ）についてのみ、前送ＰＥＳパケット、基準ＰＥＳパケットを送出し、その他の放送データについては、基準ＰＥＳパケットのみを送出することとしてもよい。
（５）本実施の形態においては、ＲＩＴを図１１に示すデータ構造としたが、ＲＩＴのデータ構造は、前送パケットのＰＩＤの記述を含むデータ構造であれば、他のデータ構造であってもよい。
（６）本実施の形態においては、放送データをＴＳに多重化して送出することとしたが、多重化形式として、放送データの再生時刻の制御が可能な他のパケット多重化形式で送出することとしてもよい。
（７）本実施の形態においては、送信装置７００から送信された前送ＴＳパケット、基準ＴＳパケットを無線受信部８０８を介して受信することとしたが、有線の伝送路を介して前送ＴＳパケット、基準ＴＳパケットの送受信を行なうこととしてもよい。又、前送ＴＳパケット、基準ＴＳパケットは、無線放送に限らず、有線放送で放送してもよいし、ＬＡＮやインタネットを介して受信装置８００に送信することとしてもよい。
【産業上の利用可能性】  本発明に係る放送データ送受信システムは、本放送時に再生されるべき放送データの送信前に、予め当該放送データの代替データを送信装置から伝送する伝送方式を利用する放送データ送受信システムに適用できる。
【図１】
2004034616.tif 000003
【図２】
2004034616.tif 000004
【図３】
2004034616.tif 000005
【図４】
2004034616.tif 000006
【図５】
2004034616.tif 000007
【図６】
2004034616.tif 000008
【図７】
2004034616.tif 000009
【図８】
2004034616.tif 000010
【図９】
2004034616.tif 000011
【図１０】
2004034616.tif 000012
【図１１】
2004034616.tif 000013
【図１２】
2004034616.tif 000014
【図１３】
2004034616.tif 000015
【図１４】
2004034616.tif 000016
【図１５】
2004034616.tif 000017
【図１６】
2004034616.tif 000018
【図１７】
2004034616.tif 000019
【国際調査報告】
2004034616.tif 000020
2004034616.tif 000021
2004034616.tif 000022
2004034616.tif 000023